(57)【特許請求の範囲】
【請求項１】
原稿を読み取り、その読み取りデータを、白基準板を読み取った画像データの値、黒基準板を読み取った画像データの値、高濃度側読み取り基準値及び低濃度側読み取り基準値とに基づいて所定の階調段数となるように規格化し、その規格化されたデータに基づいて画像形成する画像形成装置であって、
原稿が特定の原稿であるか否かを判別する原稿判別手段と、
前記通常の読み取り基準値以外に、特定原稿用低濃度側読み取り基準値、特定原稿用高濃度側読み取り基準値、又はその両方の読み取り基準値を有し、前記原稿判別手段で原稿が特定の原稿であると判別された場合に、前記通常読み取り基準値に代えて、前記特定原稿用読み取り基準値を用い、前記白基準板を読み取った画像データの値、前記黒基準板を読み取った画像データの値及び当該特定原稿用読み取り基準値に基づいて規格化させる読み取り基準値変更手段と
を備えたことを特徴とする画像形成装置。
【請求項２】
前記原稿判別手段は、
プレスキャン時、或はスキャン開始時に、原稿が特定原稿であることを示すパターンが原稿に付されていることを検出するパターン検出部を備え、パターンが付されていることにより原稿が特定原稿であることを判別することを特徴とする請求項１記載の画像形成装置。
【請求項３】
前記原稿判別手段は、
操作者から原稿が特定原稿であるか否かの指示を受け付ける受付部であり、
前記読み取り基準値変更手段は、
原稿が特定原稿である旨の指示が前記受付部に受け付けられた場合に、前記通常読み取り基準値に代えて、前記特定原稿用読み取り基準値を用いらせて規格化させる
ことを特徴とする請求項１記載の画像形成装置。
【請求項４】
前記パターンは、原稿の画像エリア外に形成された１又は２以上のベタの基準パターンであり、
前記読み取り基準値変更手段は、
前記基準パターンの読み取り値に応じて読み取り基準値を決定し、その決定された読み取り基準値を用いらせて規格化させる
ことを特徴とする請求項２記載の画像形成装置。
【請求項５】
前記パターンは、画像エリアの一部或は全面に、観者に目立たない色で書き込まれたパターンであり、
前記原稿判別手段は、前記パターンが原稿に付されていることを検出することにより原稿が特定原稿であることを判別することを特徴とする請求項２記載の画像形成装置。
【発明の詳細な説明】
【０００１】
【発明が属する技術分野】
本発明は、ディジタル方式の複写機等の画像形成装置に関する。
【０００２】
【従来の技術】
ディジタル方式のカラー複写機などの画像形成装置において、ハードコピーを原稿としてコピーを行うと、色濁りなどによる彩度低下、擬似輪郭の発生、肌色などの発色低下などが起こり易かった。これは、ハードコピー画像は、一般に銀塩写真などに比べると、色や濃度の再現のダイナミックレンジが狭く、また解像度が粗いことなどに起因する。そこで、従来のディジタル方式のカラー複写機などのカラー画像形成装置は、階調補正の際にハードコピーの低濃度部と高濃度部とを飛ばすような階調補正曲線を用いて画像形成することにより、上記の問題を解決していた。ここで、低濃度部と高濃度部とを飛ばすような階調補正曲線は、例えば、黒に近い灰色をより黒くしてプリントさせ、また白に近い灰色をより白くしてプリントさせるような、中濃度部を強調する補正を行うため用いる階調補正曲線である。
【０００３】
【発明が解決しようとする課題】
ところが、従来の技術では、階調補正の際に低濃度部と高濃度部を飛ばすので実質階調再現段数が減少し、その階調再現段数の減少により階調再現性が低下するという問題があった。即ち、階調補正前に、例えば２５６階調の規格化された８ビットデータを階調補正部が受け取ったとしても、階調補正によりそのデータにおける低濃度部と高濃度部をそれぞれ２０階調分飛ばす補正をしたとしたら、実質２１６階調の階調再現段数しか存在しないことになる。
【０００４】
そこで、本願発明は、実質階調再現段数を減少させることなく、コピーの際にハードコピーの低濃度部、高濃度部、又はその両方を飛ばす補正を行ってコピーすることができる画像形成装置を提供することを目的とする。
【０００５】
上記の目的を達成するため、本発明は、原稿が特定の原稿であるか否かを判別する原稿判別手段と、前記通常の読み取り基準値以外に、特定原稿用低濃度側読み取り基準値、特定原稿用高濃度側読み取り基準値、又はその両方の読み取り基準値を有し、前記原稿判別手段で原稿が特定の原稿であると判別された場合に、前記通常読み取り基準値に代えて、前記特定原稿用読み取り基準値を用い、前記白基準板を読み取った画像データの値、前記黒基準板を読み取った画像データの値及び当該特定原稿用読み取り基準値に基づいて規格化させる読み取り基準値変更手段とを備えたことを特徴とする。
【０００６】
また、前記原稿判別手段は、プレスキャン時、或はスキャン開始時に、原稿が特定原稿であることを示すパターンが原稿に付されていることを検出するパターン検出部を備え、パターンが付されていることにより原稿が特定原稿であることを判別することを特徴とする。
また、前記原稿判別手段は、操作者から原稿が特定原稿であるか否かの指示を受け付ける受付部であり、前記読み取り基準値変更手段は、原稿が特定原稿である旨の指示が前記受付部に受け付けられた場合に、前記通常読み取り基準値に代えて、前記特定原稿用読み取り基準値を用いらせて規格化させることを特徴とする。
【０００７】
また、前記パターンは、原稿の画像エリア外に形成された１又は２以上のベタの基準パターンであり、前記読み取り基準値変更手段は、前記基準パターンの読み取り値に応じて読み取り基準値を決定し、その決定された読み取り基準値を用いらせて規格化させることを特徴とする。
また、前記パターンは、画像エリアの一部或は全面に、観者に目立たない色で書き込まれたパターンであり、前記原稿判別手段は、前記パターンが原稿に付されていることを検出することにより原稿が特定原稿であることを判別することを特徴とする。
【０００８】
【発明の実施の形態】
以下、本発明にかかる画像形成装置の実施の形態を、ディジタルフルカラー複写機を例にして説明する。
（１）実施の形態１
（１−１）ディジタルフルカラー複写機全体の構成
図１は、本発明の実施の形態１のディジタルフルカラー複写機全体の構成図である。当該ディジタル複写機は、大きく分けて、原稿画像を読み取るイメージリーダ部１０と、このイメージリーダ部で読み取った画像を複写紙上にプリントして再現するプリンタ部２０とからなる。
【０００９】
イメージリーダ部１０におけるスキャナ１１は、原稿を照射する露光ランプ１２と、原稿からの反射光を集光するロッドレンズアレー１３と、集光された光を電気信号に変換する密着型のＣＣＤイメージセンサ１４（以下、単に「ＣＣＤセンサ」という。）とを備えている。スキャナ１１は、原稿読み取り時にはモータ１５により駆動されて、矢印の方向（副走査方向）に移動し、透明なプラテン１６上に載せられた原稿を走査する。露光ランプ１２で照射された原稿面の反射光は、ＣＣＤセンサ１４で光電変換される。ＣＣＤセンサ１４で光電変換されることにより得られた画像データは、画像信号処理部３００によりＡ／Ｄ変換された後、シェーディング補正、濃度変換、色補正処理、ＭＴＦ補正処理などを経て、印刷データとしてプリンタ部２０に送られる。
【００１０】
プリンタ部２０に送られた印刷データは、階調補正の後、Ｄ／Ａ変換され露光データとされる。この露光データに従って、Ｃ、Ｍ、Ｙ、ＢＫのトナー毎に静電潜像を形成すべく、プリントヘッド部２２のレーザ部が駆動され、帯電チャージャー２３で均一に帯電された感光体ドラム２１上に静電潜像が形成される。その後、Ｃ、Ｍ、Ｙ、ＢＫの現像器２４の内、選択され感光体ドラム２１の近接位置に移動された色の現像器によって対応する色の現像が行われる。
【００１１】
一方、給紙カセット２５から給紙、搬送されてきた用紙は、転写ドラム２６上の吸着位置と同期するように送り込まれ、吸着手段２７によって転写フィルム２８上に静電的に吸着される。その用紙に、現像された感光体ドラム２１上の画像が、転写チャージャー２９によって転写される。
以上のように、読み取り、レーザ露光による潜像形成、現像、転写のプロセス動作を色の数だけ（通常のフルカラー画像形成作成の場合は４回）繰返した後、用紙は、転写ドラムから分離され、定着器３０により画像が定着される。
【００１２】
なお、プラテン１６の裏側には、シェーディング補正用の黒基準板、白基準板である基準板１７が設けられている。
また、イメージリーダ部１０の前面の操作し易い位置には、点線で示すように操作パネル１８が設けられており、コピー枚数を入力するテンキーやコピー開始を指示するコピーキーなどが設けられている。
【００１３】
一方、プリンタ部２０の上方部位には、各部を制御する制御部４１が備えられている。当該制御部４１は、図２、図３に示すように、イメージリーダ制御部１００と画像制御部２００とプリンタ制御部４００とプリントヘッド制御部５００とからなる。
イメージリーダ制御部１００は、イメージリーダ部１０の各部を制御するとともに、プラテン１６上の原稿の位置を示す位置信号を位置検出スイッチ１０１から受け取り、その位置信号に基づいて、ドライブＩ／Ｏ１０２を介して露光ランプ１２のＯＮ／ＯＦＦを制御する。また、ドライブＩ／Ｏ１０２、パラレルＩ／Ｏ１０３及びスキャンモータドライバ１０４を介して、モータ１５を駆動制御し、スキャナ１１を必要な範囲で移動させて画像データを読み取らす。一方、イメージリーダ制御部１００は、画像制御部２００とバスにより接続される。画像制御部２００は、ＣＣＤセンサ１４及び画像信号処理部３００のそれぞれとバスで互いに接続されている。ＣＣＤセンサ１４からの画像データは、画像信号処理部３００に入力され、必要な処理がなされる。
【００１４】
プリンタ制御部４００は、複写動作一般の制御を行う。プリンタ制御部４００には、自動濃度制御用の各種センサ４０１〜４０５からのアナログ信号が入力され、操作パネル１８へのキー入力によって、パラレルＩ／Ｏ４０７を介して、各種データが入力される。また、プリンタ制御部４００は、制御用プログラムが格納された制御ＲＯＭ４０８と種々のデータが格納されたデータＲＯＭ４０９とが接続される。当該プリンタ制御部４００は、各種センサ４０１〜４０５、操作パネル１８、及びデータＲＯＭ４０９からのデータと、制御ＲＯＭ４０８の内容とに従って、複写制御部４１０と表示部４１１とを制御し、さらに、自動濃度制御を行うため、パラレルＩ／Ｏ４１２及びドライブＩ／Ｏ４１３を介し帯電チャージャのグリッド電圧発生ユニット４１４及び現像器バイアス電圧発生ユニット４１５を制御する。このグリッド電圧発生ユニット４１４は、感光体ドラムの表面電位を制御し、現像器バイアス電圧発生ユニット４１５は、現像器のバイアス電位を制御することにより、感光体ドラムに付着するトナーの量が調整され、濃度調整がされる。
【００１５】
プリントヘッド制御部５００は、制御ＲＯＭ５０１内に格納されている制御用プログラムに従って制御動作を行う。また、プリントヘッド制御部５００は、イメージリーダ制御部１００と画像信号処理部３００とに画像データバスで接続されており、画像データバスを介して入力される画像信号を元にして、γ補正用変換テーブルの格納されているデータＲＯＭ５０２の内容を参照してγ補正を行う。その際、階調表現方法として多値化ディザ法を用いる場合は、ディザ処理を施し、ドライブＩ／Ｏ５０３及びパラレルＩ／Ｏ５０４を介してレーザダイオードドライバ５０５を制御する。レーザダイオード５０６は、レーザダイオードドライバ５０５によって、その発光が制御される。また、プリントヘッド制御部５００は、イメージリーダ制御部１００、画像信号処理部３００及びプリンタ制御部４００とバスで接続されて互いに同期がとられる。
【００１６】
（１−２）画像信号処理部の構成
図４は、画像信号処理部３００のブロック図である。以下、各構成について説明する。
ＣＣＤセンサ１４が光電変換することにより得られた３原色Ｒ、Ｇ、Ｂのアナログデータである画像データは、Ａ／Ｄ変換部３０１によって多値ディジタルデータｒ、ｇ、ｂに変換される。
【００１７】
シェーディング補正部３０２は、その多値ディジタルデータについて、予め算出したシェーディング補正係数αを用いてシェーディング補正し、さらに２５６階調を有する８ビットデータに規格化した後、その８ビットデータを濃度変換部３０４及び領域判別部３０５に送る。以下、シェーディング補正係数αの算出について説明する。なお、当該シェーディング補正部３０２は、シェーディング補正係数αの算出に先立ち、ＣＣＤセンサ毎の感度のバラツキ、露光ランプの光量ムラの補正を行っているが、その補正については説明を省略する。後述する実施の形態２、３、４についても同じ。
【００１８】
先ず、シェーディング補正部３０２は、スキャナ１１のＣＣＤセンサ１４が読み取ったプラテン１６の裏側のシェーディング補正用の黒基準板と白基準板の読み取り値を受け取る。その読み取り値がそれぞれＶａ、Ｖｂであったとすると、シェーディング補正係数αは、以下の式で表される。
【００１９】
【数１】
0003551626.tif 000002
ここで、Ａ、Ｂは、シェーディング補正係数算出用読み取り基準値であり、Ａ、Ｂはそれぞれ高濃度側読み取り基準値（黒側読み取り基準値）、低濃度側読み取り基準値（白側読み取り基準値）である。Ａ、Ｂには、通常のコピー時には、それぞれシェーディング補正部３０２が内部に有する値であるａ０、ｂ０が用いられる。このａ０、ｂ０は、通常のコピーモード用の読み取り基準値である。このａ０、ｂ０は、例えば、２５６階調のそれぞれ最小値０、最大値２５５をとる。
【００２０】
当該シェーディング補正部３０２は、以上のようにして求められたシェーディング補正係数αを用いて、シェーディング補正を行う。その際、ＣＣＤセンサ１４からの読み取り値、正確にはＡ／Ｄ変換部３０１から受けた多値ディジタルデータの値であるＶｏｕｔを下記の式に適用することによりシェーディング補正後の値である画像データを求める。
【００２１】
【数２】
0003551626.tif 000003
そして、当該シェーディング補正部３０２は、その求めた画像データを８ビットデータに規格化して、その８ビットデータを濃度変換部３０４及び領域判別部３０５に送る。例えば、Ｖｂ、Ｖａがそれぞれ１０００、０であるとすると、白基準板を読み取ったときの画像データの値は、
【００２２】
【数３】
0003551626.tif 000004
となる。
同様に、黒基準板を読み取ったときの画像データの値は、
【００２３】
【数４】
0003551626.tif 000005
となる。
尚、白基準板、黒基準板が、完全な白、黒でなくても良い。
基準値変更部３０３は、操作パネル１８が操作者からジェネレーションモード指示を受け付けている場合は、前記シェーディング補正部３０２がシェーディング補正係数算出時に用いる通常コピーモード用の読み取り基準値ａ０、ｂ０を、当該基準値変更部３０３が内部に有するジェネレーションモード用の読み取り基準値ａ１、ｂ１に変更する。また、濃度変換部３０４が用いる濃度変換補正値ｃ０を、内部に有するジェネレーションモード用の濃度変換補正値ｃ１に変更する。この濃度変換補正値ｃ１は、補正の微調整のために用いる補正値であり、この濃度変換補正値については後述する。ここで、ジェネレーションモードは、コピーに用いる原稿がハードコピーである場合に、ハードコピー用のコピー処理を行うモードである。具体的には、ジェネレーションモード時には、シェーディング補正部３０２は、ジェネレーションモード用の読み取り基準値ａ１、ｂ１を用いて、シェーディング補正係数αを算出し、その算出されたシェーディング補正係数αを用いてシェーディング補正を行う。このジェネレーションモード用の読み取り基準値ａ１、ｂ１は、ハードコピーの低濃度部と高濃度部とを飛ばすような値、つまりａ１＜ａ０、ｂ０＜ｂ１、となっている。例えば、ａ１、ｂ１の値が、それぞれ−２０、２８０であるとすると、そのとき白基準板を読み取ったときの画像データの値は、
【００２４】
【数５】
0003551626.tif 000006
となり、２５６階調で表現できる最大値２５５を越えているので、画像データは、２５５として出力される。つまり、原稿が白基準板より白いか、又は、白基準板に近い反射率を有する場合に、画像データは、同じ値２５５としてシェーディング補正部３０２から出力されることとなる。
【００２５】
同様に、黒基準板を読み取ったときの画像データの値は、
【００２６】
【数６】
0003551626.tif 000007
となり、２５６階調で表現できる最小値０を下回っているので、画像データは、０として出力される。つまり、原稿が黒基準板より低い反射率であるか、又は、黒基準板に近い反射率を有する場合には、同じ画像データ０としてシェーディング補正部３０２から出力されることとなる。このように読み取り基準値をジェネレーションモード用に変更することにより、ジェネレーションコピー時の読み取りレンジを必要な範囲にし、また白に近い反射率の部分を飛ばすことで色濁りを減少させるなどの操作を行うことができる。
【００２７】
濃度変換部３０４は、原稿の反射率データを実際の濃度データに変換し、その濃度データを色補正部３０６に送る。濃度データへの変換は、以下の式により行う。
Ｉ．Ｄ．  Ｄａｔａ＝−ＬＯＧ（（Ｃ／ｃ０）＊ｒｅｆ．ｄａｔａ）
ここで、Ｉ．Ｄ．  Ｄａｔａは、当該濃度変換部３０４の出力である濃度データであり、ｒｅｆ．ｄａｔａは、シェーディング補正部３０２から当該濃度変換部３０４に入力されるシェーディング補正後のデータである。また、Ｃは、濃度変換補正値であり、前記基準値変更部３０３により変更される変数である。Ｃの値は、前記基準値変更部３０３により変更されていない限り、通常モードのコピー時の濃度変換補正値であるｃ０が設定される。
【００２８】
従って、通常モードのコピー時は、
Ｉ．Ｄ．  Ｄａｔａ＝−ＬＯＧ（ｒｅｆ．ｄａｔａ）
の式を用いて、シェーディング補正後のデータが濃度データに変換される。
一方、ジェネレーションモード時は、当該濃度変換部３０４には、基準値変更部３０３によってジェネレーションモード用の濃度変換補正値ｃ１が設定される。従って、ジェネレーションモードのコピー時は、
Ｉ．Ｄ．  Ｄａｔａ＝−ＬＯＧ（（ｃ１／ｃ０）＊ｒｅｆ．ｄａｔａ）
の式を用いて、シェーディング補正後のデータが濃度データに変換される。
【００２９】
ここで、ジェネレーションモード時の濃度変換補正値ｃ１は、通常、ｃ１＞ｃ０の関係がある。このように、ジェネレーションモード時に、ジェネレーションモード用の濃度変換補正値も変更されるのは、前述の読み取り基準値が変更されることによる補正の微調整のためである。
色補正部３０６は、濃度変換部３０４からの濃度データの色補正を行う。またＵＣＲ／ＢＰ処理、及びマスキング処理も行い、濃度データをＣ、Ｍ、Ｙ、ＢＫ各色の印刷データに変換する。
【００３０】
領域判別部３０５は、シェーディング補正部３０２から出力された画像データに基づき、カラー／黒、エッジ／非エッジ部等の画像領域判別を行う。
その後ＭＴＦ補正部３０７は、領域判別部３０５の判別結果を用い、色補正部３０６で色補正後のデータをスムージング処理やエッジ強調処理等であるＭＴＦ補正する。このＭＴＦ補正は、予め操作者が操作パネル１８により設定した内容に応じて行われる。ＭＴＦ補正されたデータは、変倍・移動部３０８に送られ、予め操作者が操作パネル１８により設定した倍率等により倍率変更処理等される。さらに倍率変更処理等された画像データは、カラーバランス部３０９に送られ、予め操作者が操作パネル１８により設定した濃度、カラーバランスにより濃度、カラーバランス調整され、調整された後のデータに基づいて、プリンタ部２０において複写紙上に再現画像が形成される。
【００３１】
プリンタ制御部４００には、操作パネル１８が接続されており、操作者から各種指示を受け付ける。図５は、当該操作パネル１８の外観図である。当該操作パネル１８は、ＬＣＤタッチパネル５１、スタートキー５７、テンキー５８、ＩＣカード挿入部６１を備えている。そのＬＣＤタッチパネル５１には、濃度ボタン５３や倍率ボタン５４や用紙ボタン５５やジェネレーションボタン５６が表示されている。ジェネレーションボタン５６は、ジェネレーションモードを受け付けるためのボタンである。このボタンによりジェネレーションモードの指示を受け付けたら、プリンタ制御部４００は、基準値変更部３０３に現在、ジェネレーションモードであることを通知する。同様に他のボタン５３〜５５が操作者から操作されることにより各種キー入力を受け付け、プリンタ制御部４００は、その指示をＭＴＦ補正部３０７や変倍・移動部３０８やカラーバランス部３０９に送る。コピー枚数等は、テンキー５８から入力する。表示部５２は受け付けたコピー枚数等を表示する。コピースタートキー５７は、コピー開始の指示を受け付ける。ＩＣカード挿入部６１には、ＩＣカード６０が挿入される。このＩＣカード６０には、コピー枚数やコピー倍率や用紙サイズやジェネレーションモード等のデータが予め記憶され、このＩＣカード６０をＩＣカード挿入部６１に挿入するだけで、記憶されているデータが読みとられ、前記ボタン５３〜５６及びテンキー５８からの入力と同様の作用をなす。
【００３２】
（１−３）ディジタルフルカラー複写機の動作
当該実施の形態におけるディジタルフルカラー複写機の動作について、図６及び図７に示すフローチャートを用いて説明する。
先ず、操作パネル１８は、操作者から、コピー倍率、コピー枚数の指定とともに、ジェネレーションモードの指示を受け付ける（ステップＳ１０１）。コピースタートキーが押され（ステップＳ１０２）、現在ジェネレーションモードであれば（ステップＳ１０３）、基準値変更部３０３（図４）は、シェーディング補正部３０２にジェネレーションモード用の読み取り基準値ａ１、ｂ１を設定し、さらに濃度変換部３０４にジェネレーションモード用の濃度変換補正値ｃ１を設定する（ステップＳ１０４）。一方、ステップＳ１０３において、現在ジェネレーションモードでなければ、基準値変更部３０３は、シェーディング補正部３０２に通常コピーモード用の読み取り基準値ａ０、ｂ０を設定し、さらに濃度変換部３０４に通常コピーモード用の濃度変換補正値ｃ０を設定する（ステップＳ１０５）。次に、シェーディング補正部３０２は、設定された読み取り基準値を用いて、シェーディング補正係数算出処理を行う（ステップＳ１０６）。具体的には、図７に示すフローの処理を行う。先ず、イメージリーダ制御部１００は、ＣＣＤセンサ１４、露光ランプ１２をＯＮするとともに（ステップＳ２０１）、モータ１５を駆動させ、スキャナ１１をプラテン１６の裏側の黒基準板に移動させる（ステップＳ２０２）。そして、ＣＣＤセンサ１４にその黒基準板の黒レベルを検出させ、その検出データＶを黒基準板の読み取り値Ｖａとして記憶する（ステップＳ２０３）。同様に、イメージリーダ制御部１００は、スキャナ１１をプラテン１６の裏側の白基準板に移動させ（ステップＳ２０４）、ＣＣＤセンサ１４にその白基準板の白レベルを検出させ、その検出データＶを白基準板の読み取り値Ｖｂとして記憶し（ステップＳ２０５）、その後、スキャナ１１をホーム位置に移動させる（ステップＳ２０６）。次に、シェーディング補正部３０２は、上記検出で得られた、基準板の読み取り値Ｖａ、Ｖｂと、設定された読み取り基準値とを用いて、シェーディング補正係数αを算出する（ステップＳ２０７）。設定された読み取り基準値は、現在ジェネレーションモードである場合には、ａ１、ｂ１であり、現在通常のコピーモードである場合には、ａ０、ｂ０である。以上で、シェーディング補正係数算出処理を終了する。
【００３３】
次に、イメージリーダ制御部１００は、プレスキャン処理を行い、原稿サイズ等を検出する（ステップＳ１０７）。次に、プリンタ制御部４００は、各種内部の環境センサ入力を受け付け（ステップＳ１０８）、さらに上記受け付けた各種センサ入力及びプロセスコントロール動作（感光体ドラム表面電位の検出、ＡＩＤＣパターンのトナー付着量検出等）により、作像時の条件を適切に変更した後、コピー処理に移る（ステップＳ１０９）。
【００３４】
プリンタ制御部４００は、プリンタ各要素を起動し、感光体ドラム及び転写ドラムと同期するように用紙を搬送する。原稿は、露光走査され、ＣＣＤセンサ１４によって光電変換されて反射率データとして読み込まれ、さらにＡ／Ｄ変換されたのち、先に算出されたシェーディング補正係数が用いられてシェーディング補正される。その際、先に算出されたシェーディング補正係数がジェネレーションモード用に算出されたシェーディング補正係数であれば、出力されるデータにおいて、低濃度部と高濃度部が飛ばされたデータとなる。そのデータは８ビットデータに規格化された後、設定されている濃度変換補正値が用いられて、濃度変換される。現在、ジェネレーションモードであれば、ジェネレーションモード用の濃度変換補正値が設定されているので、その補正値を用いて、濃度変換が行われる。濃度変換後に得られる濃度データは、色補正処理、ＭＴＦ補正処理等を経た後、印刷データとしてプリンタ部に送られる。プリンタ部は、送られてきた印刷データに従って感光体ドラム表面を露光し潜像を形成し、さらにそれを現像して、用紙に転写する。これらの一連の処理を必要色分繰り返し後、用紙は転写ドラムから分離され、定着器で画像が定着されて出力される（ステップＳ１１０）。コピー枚数の指定が複数である場合は、コピー処理を繰り返した後、終了する（ステップＳ１１１）。
【００３５】
以上のように、本実施の形態によれば、操作者からジェネレーションモードの指示を受けた場合は、シェーディング補正部はジェネレーションモード用の読み取り基準値、つまり、低濃度部と高濃度部を飛ばすための読み取り基準値を用いてシェーディング補正時に低濃度部及び高濃度部を飛ばし、その後８ビットデータに規格化するので、従来技術のように規格化された後のデータの低濃度部及び高濃度部を飛ばすことによる実質階調再現段数の減少を招くことなく、ハードコピーの低濃度及び高濃度部を飛ばす補正を行うコピーをすることができる。
【００３６】
なお、本実施の形態は、シェーディング補正係数算出処理をプレスキャン前に行っているが、これには限られない。例えば、ステップＳ１１０の各コピー動作毎にシェーディング補正係数算出処理を行っても良い。
（２）実施の形態２
上述の実施の形態１におけるディジタルフルカラー複写機におけるシェーディング補正部は、ジェネレーションモードのときに通常コピー時に用いる読み取り基準値に代えて、ジェネレーションモード用の読み取り基準値、つまり原稿の低濃度部と高濃度部とを飛ばすための読み取り基準値を用いて、シェーディング補正係数の算出を行うことにより、原稿の低濃度部及び高濃度部を飛ばすシェーディング補正を実現していた。それに対して、本実施の形態２では、シェーディング補正部は、読み取り基準値自体は、通常コピー時に用いる読み取り基準値しか用いないが、通常の白基準板及び黒基準板以外に、ジェネレーションモード用の白基準板及び黒基準板を用い、ジェネレーションモード時には、そのジェネレーションモード用の白基準板及び黒基準板を用いてシェーディング補正値の変更を行うことにより、原稿の低濃度部及び高濃度部を飛ばすシェーディング補正を実現する。なお、このシェーディング補正は、実施の形態１と異なり、ＣＣＤセンサ１４からの出力をオフセット調整及びゲイン調整することにより行っている。
【００３７】
従って、本実施の形態における複写機全体の構成については、実施の形態１とほぼ同じであるので説明を省略し、実施の形態１と異なる構成要素であるジェネレーションモード用の白基準板及び黒基準板を含むプラテンと、イメージリーダ制御部と、画像信号処理部とについて説明する。
（２−１）ジェネレーションモード用の白基準板及び黒基準板を含むプラテン図８は、本実施の形態２における白基準板と黒基準板である基準板８２を有するプラテン８１の外観図である。当該プラテンは、図１のプラテン１６と同じ位置に設けられている。図８（ａ）は、そのプラテン８１の表側の外観を示す図であり、図８（ｂ）は、そのプラテン８１の裏側を示す図である。プラテン８１の裏側にはジェネレーションモード用の基準板８２が設けられている。当該基準板８２は、通常コピーモード用の白基準板Ｑ０及び黒基準板Ｐ０と、ジェネレーションモード用の白基準板Ｑ１及び黒基準板Ｐ１とからなる。通常コピーモードモード用の白基準板Ｑ０及び黒基準板Ｐ０は、前述の実施の形態１における白基準板及び黒基準板と同じであるので、説明を省略する。次にジェネレーションモード用の白基準板Ｑ１は、通常モード用の白基準板Ｑ０より明度が低く、灰色に近い白となっている。同様にジェネレーションモード用の黒基準板Ｐ１は、通常コピーモード用の黒基準板Ｐ０よりも明度が高く、灰色に近い黒となっている。従って、ジェネレーション用の基準板の濃度のレンジ幅、つまり、黒基準板と白基準板との間の濃度差は、通常コピーモード用基準板のレンジ幅よりも狭くなっている。以上の４つの基準板、つまり、通常コピー用の白基準板Ｑ０、ジェネレーションモード用の白基準板Ｑ１、通常コピー用の黒基準板Ｐ０、ジェネレーションモード用の白基準板Ｐ１とが図８（ｂ）に示すように、それぞれスキャン位置ｑ０、ｑ１、ｐ０、ｐ１に設けられている。
【００３８】
（２−２）イメージリーダ制御部
本実施の形態のイメージリーダ制御部１００は、シェーディング補正値変更処理の際に、内部に有するシェーディング補正値変更用の基準板のスキャン位置情報ｐ、ｑに基づいて、白基準板Ｑ０、Ｑ１及び黒基準板Ｐ０、Ｐ１をＣＣＤセンサ１４に読み取らせる。当該スキャン位置情報ｐ、ｑには、初期値として、スキャン位置情報として基準板８２のうち、通常コピーモード用の基準板のスキャン位置ｑ０、ｐ０を示す位置情報が設定されている。
【００３９】
スキャン位置情報変更手段は、イメージリーダ制御部１００内の手段であり、前記スキャン位置情報をジェネレーションモードが否かによって変更する。具体的には、操作者が操作パネル１８からジェネレーションモードを指示した場合は、ジェネレーションモードである旨の通知をプリンタ制御部４００から受け、イメージリーダ制御部が有するスキャン位置情報を、ジェネレーションモード用の基準板のスキャン位置ｑ１、ｐ１を示す位置情報に変更する。同様に、ジェネレーションモードの指示がない場合は、通常コピーモード用の基準板のスキャン位置ｑ０、ｐ０に変更する。
【００４０】
（２−３）画像信号処理部
本実施の形態における画像信号処理部３００は、図４に示す実施の形態１の画像信号処理部３００の構成要素である基準値変更部３０３が存在せず、また、シェーディング補正部３０２の構成が異なる以外は同じであるので、同じ構成要素については説明を省略し、異なる構成要素であるシェーディング補正部３０２について説明する。
【００４１】
シェーディング補正部３０２は、シェーディング補正を行うが、シェーディング補正に先立ち、シェーディング補正値変更処理を行う。具体的には、黒基準板、白基準板をＣＣＤセンサ１４から読み取り、その黒基準板、白基準板の各読み取り値Ｖａ、Ｖｂが、当該シェーディング補正部３０２が内部に有する黒側読み取り基準値ａ０、白側読み取り基準値ｂ０として出力されるような、ＣＣＤセンサ１４の出力電圧のオフセット調整値及びゲイン調整値を求める。この当該シェーディング補正部３０２は、シェーディング補正の際、その求められたオフセット調整値及びゲイン調整値を用いてＣＣＤセンサ１４の出力電圧を補正をＲ、Ｇ、Ｂの各毎に行い、その後、８ビットデータに規格化する。
【００４２】
（２−４）ディジタルフルカラー複写機の動作
当該実施の形態におけるディジタルフルカラー複写機の動作について、図９、図１０に示すフローチャートを用いて説明する。
先ず、実施の形態１の図６のフローと同様に、各種キー入力処理等が行われ（ステップＳ３０１、ステップＳ３０２）、現在、ジェネレーションモードである場合は（ステップＳ３０３）、イメージリーダ制御部１００内のスキャン位置情報変更手段は、シェーディング補正値算出用の基準板のスキャン位置情報ｐ、ｑを、ジェネレーションモード用の基準板の位置ｐ１、ｑ１の位置情報に変更する（ステップＳ３０４）。一方、ステップＳ３０３にて、現在ジェネレーションモードでない場合は、スキャン位置情報が、通常コピーモード用の基準板のスキャン位置ｐ０、ｑ０にスキャン位置情報変更手段によって変更される（ステップＳ３０５）。次に、設定されたスキャン位置情報に基づいて、シェーディング補正部３０２は、シェーディング補正値変更処理を行う（ステップＳ３０６）。具体的には、図１０のフロー図に示すように、ＣＣＤセンサ１４、露光ランプ１２がＯＮされた後（ステップＳ４０１）、イメージリーダ制御部１００は、内部に有するシェーディング補正値算出用の基準板のスキャン位置情報に基づいて、スキャナ１１をプラテン１６の裏側の黒基準板に移動させる（ステップＳ４０２）。このとき、当該スキャン位置情報ｐに、ジェネレーションモード用の基準板Ｐ１のスキャン位置ｐ１を示す位置情報が格納されている場合は、スキャナ１１は、当該ジェネレーションモード用の黒基準板Ｐ１の位置に移動され、同様に、当該スキャン位置情報ｐに、通常コピーモード用の基準板Ｐ０のスキャン位置ｐ０を示す位置情報が格納されている場合は、スキャナ１１は、当該通常コピーモード用の黒基準板Ｐ０の位置に移動される。当該移動の後、スキャナ１１のＣＣＤセンサ１４が読み取った当該黒基準板の黒レベルをＶｐとして検出する（ステップＳ４０３）。その検出された黒レベルＶｐが、内部に有する黒側読み取り基準値ａ０と等しい値で、シェーディング補正部３０２から出力されるようなＣＣＤセンサ１４のオフセット調整値を求め、その値を記憶する（ステップＳ４０４）。
【００４３】
同様に、イメージリーダ制御部１００は、スキャナ１１を白基準板に移動させる（ステップＳ４０５）。このとき、スキャン位置情報に、ジェネレーションモード用の基準板Ｑ１のスキャン位置ｑ１を示す位置情報が格納されている場合は、スキャナ１１は、当該ジェネレーションモード用の白基準板Ｑ１の位置に移動され、同様に、当該スキャン位置情報に、通常コピーモード用の基準板Ｑ０のスキャン位置ｑ０を示す位置情報が格納されている場合は、当該通常コピーモード用の白基準板Ｑ０の位置に移動される。当該移動の後、スキャナ１１のＣＣＤセンサ１４が読み取った当該黒基準板の白レベルをＶｑとして検出し（ステップＳ４０６）、検出された白レベルＶｑが、内部に有する白側読み取り基準値ｂ０と等しい値でシェーディング補正部３０２から出力されるようなＣＣＤセンサ１４のゲイン調整値を求め、その値を記憶する（ステップＳ４０７）。以上のように求められたオフセット調整値及びゲイン調整値は、ＣＣＤセンサ１４が読み取った基準板がジェネレーションモード用のレンジ幅が狭い基準板である場合に、その狭いレンジ幅を２５６階調とするような値となる。同様に、ＣＣＤセンサ１４が読み取った基準板が通常コピーモード用の基準板である場合は、そのジェネレーションモードよりも広いレンジ幅を２５６階調とするような値となる。
【００４４】
その後、イメージリーダ制御部１００は、スキャナ１１をホーム位置に移動させ、露光ランプ１２をＯＦＦする（ステップＳ４０８）。以上でシェーディング補正値変更処理を終了する。
次に、実施の形態１の図６と同様に、プレスキャン処理、センサー入力処理、プロセスコントロール動作等を行い（ステップＳ３０７〜ステップＳ３０９）、コピー処理を行う（ステップＳ３１０）。コピー処理においては、先に求められたオフセット調整値及びゲイン調整値により調整されたＣＣＤセンサ１４からの出力値を用いる。その出力値は、Ａ／Ｄ変換、シェーディング補正、濃度変換後、色補正処理、ＭＴＦ補正処理等を経た後、印刷データとしてプリンタ部に送られる。コピー枚数の指定が複数である場合は、コピー処理を繰り返した後、終了する（ステップＳ３１１）。
【００４５】
以上のように、本実施の形態のディジタルフルカラー複写機は、シェーディング補正値変更用読み取り基準板として、通常コピーモード用の基準板とジェネレーションモード用の基準板との２種類有しており、操作者からジェネレーションモードの指示を受けた場合は、シェーディング補正部はジェネレーションモード用の読み取り基準板を用いて、原稿の低濃度部と高濃度部とを飛ばすオフセット調整値及びゲイン調整値を算出し、その値を用いてシェーディング補正を行うので、実質階調再現段数を減少させることなく、ハードコピーの低濃度及び高濃度部を飛ばす補正を行うコピーをすることができる。
【００４６】
なお、本実施の形態は、シェーディング補正値変更処理をプレスキャン前に行っているが、これには限られない。例えば、ステップＳ３１０の各コピー動作に先立ち、シェーディング補正値変更処理を行っても良い。
また、各コピー動作毎にスキャナ１１を黒基準板と白基準板とに移動させるのは時間がかかるので、どちらか一方だけにしても良い。
（３）実施の形態３
上述の実施の形態１及び形態２におけるディジタルフルカラー複写機におけるシェーディング補正部は、操作者からジェネレーションモードの指示を操作パネル１８から受けて、ジェネレーションモードの指示を受けたときに、ジェネレーションモード用のシェーディング補正を行っているが、本実施の形態３では、原稿に予め作成されている特定の基準パターンがあるか否かを判断することによりジェネレーションモードにするか否かを判断し、ジェネレーションモードのときはジェネレーションモード用のシェーディング補正を行う。
【００４７】
本実施の形態における複写機全体の構成については、実施の形態１とほぼ同じであり、実施の形態１と異なる構成要素である画像信号処理部について説明する。
（３−１）画像信号処理部
図１１は、本実施の形態の画像信号処理部７００のブロック図である。本図において、図４と同じ符号を付したものは、同じ構成要素であるでこれらについての詳細な説明を省略する。
【００４８】
基準パターン判別部７０１は、プレスキャン時に、シェーディング補正部３０２から、ＣＣＤセンサ１４による原稿の読み取りデータを受け取り、原稿に図１２に示すようなマシンコードを示す符号化された基準パターンが存在するか否かを判断する。図１２は、基準パターンの例を示す図であり、例えば、画像エリアの一部、或は全面に、マシンコードを示すパターンがＹ（イエロー）単色で作成されている。Ｙ単色としたのは、基準パターンが原稿に付されることにより原稿のイメージをなるべく損なわないようにするために、人の目に目立たない色にする必要があるからである。目立たない色であればＹ単色には限る必要はない。当該基準パターン判別部７０１は、原稿の特定の位置に当該パターンがあるか否かにより、基準パターンが存在するか否かを判断する。基準パターンが存在する場合は、基準パターン判別部７０１は、基準値変更部７０３に対して、基準パターンが存在する旨を通知する。
【００４９】
さらに、基準パターン判別部７０１は、基準パターンの読み取りデータに基づいて、その原稿がいずれの複写機でコピーされたものであるかをも判別する。具体的には、当該基準パターン判別部７０１は、内部に複数の複写機のマシンコード一覧を有しており、前記基準パターンの読み取りデータからコードデータを抽出し、そのコードデータが何れかのマシンコードに該当するかを判断することにより、その原稿がいずれの複写機でコピーされたものであるかを判別する。判別結果は、プリンタ制御部４００に送られ、プリンタ制御部４００は、原稿の出力元を示すマシンコードを表示部に表示させる。また基準パターン判別部７０１は、コピー時に、コピー画像に自マシンのマシンコードを示す基準パターンを作成するためのデータを記憶している。
【００５０】
シェーディング補正部７０２は、シェーディング補正を行う。その際、シェーディング補正に先立ち、シェーディング補正値変更処理を行う。具体的には、黒基準板、白基準板のＣＣＤセンサ１４による各読み取り値Ｖａ、Ｖｂが、後述する黒側読み取り基準値Ａ、白側読み取り基準値Ｂと等しい値でシェーディング補正部７０２から出力されるようなＣＣＤセンサ１４の出力電圧のオフセット調整値及びゲイン調整値を求める。シェーディング補正部７０２は、シェーディング補正の際、その求められたオフセット調整値及びゲイン調整値を用いて、シェーディング補正をＲ、Ｇ、Ｂの各毎に行い、その後、８ビットデータに規格化する。ここで、黒側読み取り基準値Ａ、白側読み取り基準値Ｂは、通常のコピー時には、それぞれシェーディング補正部７０２が内部に有する値であるａ０、ｂ０が用いられる。また、ジェネレーションモード時には、後述する基準値変更部７０３によりジェネレーションモード用の読み取り基準値ａ１、ｂ１に変更される。このジェネレーションモード用の読み取り基準値ａ１、ｂ１は、高濃度部と低濃度部とを飛ばすことができるように、通常コピー用の読み取り基準値に対し、ａ１＜ａ０＜ｂ０＜ｂ１の関係にある。
【００５１】
基準値変更部７０３は、基準パターン判別部７０１から基準パターンが存在する旨の通知を受けた場合は、現在ジェネレーションモードであると判断し内部に有するジェネレーションモードフラグをＯＮにし、シェーディング補正部７０２がシェーディング補正値変更処理のときに用いる通常コピーモード用の読み取り基準値ａ０、ｂ０に代えて、ジェネレーションモード用の読み取り基準値ａ１、ｂ１に変更する。また、濃度変換部３０４に濃度変換補正値ｃ０に代えてジェネレーションモード用の濃度変換補正値ｃ１を用いらせる。
【００５２】
（３−２）ディジタルフルカラー複写機の動作
当該実施の形態におけるディジタルフルカラー複写機の動作について、図１３、図１４及び図１５に示すフローチャートを用いて説明する。
図１３において、先ず、当該ディジタルフルカラー複写機は、コピーに先立って操作パネル１８から各種キー入力を受け付ける（ステップＳ５０１）。当該操作パネル１８は、例えば、図５に示す操作パネル１８に、基準パターンボタン及び補正変更不可ボタンが追加された構成である。基準パターンボタンは、コピーの際に図１２に示す基準パターンを、原稿に作成するか否かの指示を受け付けるボタンであり、補正値変更不可ボタンは、基準パターンがあると判断されてもジェネレーションモードにしない旨の指示を受け付けるボタンである。各種キー入力の後、コピースタートキーが押されたら（ステップＳ５０２）、基準値変更部７０３は、シェーディング補正部３０２に通常コピーモード用の読み取り基準値ａ０、ｂ０を設定し、さらに濃度変換部３０４に通常コピーモード用の濃度変換補正値ｃ０を設定する（ステップＳ５０３）。次に、シェーディング補正部７０２は、シェーディング補正値変更処理を行う（ステップＳ５０４）。具体的には、図１４に示すフロー図に示すように、ＣＣＤセンサ１４、露光ランプ１２がＯＮされた後（ステップＳ６０１）、イメージリーダ制御部１００は、スキャナ１１をプラテン１６の裏側の黒基準板に移動させる（ステップＳ６０２）。当該移動の後、ＣＣＤセンサ１４が読み取った黒基準板の黒レベルをＶｐとして検出し（ステップＳ６０３）、その黒レベルＶｐが、黒側読取基準値ａ０と等しい値で、シェーディング補正部７０２から出力されるようなＣＣＤセンサ１４の出力のオフセット調整値を求め、その値を記憶する（ステップＳ６０４）。同様に、イメージリーダ制御部１００は、スキャナ１１を白基準板に移動させ（ステップＳ６０５）、ＣＣＤセンサ１４により読み取られた白基準板の白レベルＶｑが（ステップＳ６０６）、白側読み取り基準値ｂ０と等しい値で、シェーディング補正部７０２から出力されるようなＣＣＤセンサ１４の出力のゲイン調整値を求め、その値を記憶する（ステップＳ６０７）。その後、イメージリーダ制御部１００は、スキャナ１１をホーム位置に移動させ、露光ランプ１２をＯＦＦする（ステップＳ６０８）。以上でシェーディング補正値変更処理を終了する。
【００５３】
次に、イメージリーダ制御部１００は、原稿サイズや基準パターンの有無等を調べるプレスキャン処理を行う（ステップＳ５０５）。具体的には、図１５に示すように、ＣＣＤセンサ１４、露光ランプ１２がＯＮされ（ステップＳ７０１）、ステップＳ５０１で補正変更不可の指示が受け付けられてなく（ステップＳ７０２）、原稿に基準パターンが存在すると判断された場合は（ステップＳ７０３）、基準値変更部７０３は、現在ジェネレーションモードであると判断し、内部に有するジェネレーションモードフラグをＯＮとする（ステップＳ７０４）。また、基準パターン判別部７０１は、基準パターンの読み取りデータに基づいて、その原稿がいずれの複写機でコピーされたものであるかをも判別し、その判別結果をプリンタ制御部４００に送る。プリンタ制御部４００は、原稿の出力元を示すマシンコードを表示部に表示させる（ステップＳ７０５）。
【００５４】
次に、イメージリーダ制御部１００は、スキャナ１１に原稿のサイズを検出させ（ステップＳ７０６）、その後、ランプを消灯し、スキャナ１１をリターンさせる（ステップＳ７０７）。これで、プレスキャン処理は、終了である。
次に、図１３において、ジェネレーションモードフラグがＯＮであれば（ステップＳ５０６）、基準値変更部７０３は、シェーディング補正部７０２がシェーディング補正値変更処理のときに用いる通常コピーモード用の読み取り基準値ａ０、ｂ０に代えて、ジェネレーションモード用の読み取り基準値ａ１、ｂ１に変更する（ステップＳ５０７）。また、濃度変換部３０４に濃度変換補正値ｃ０に代えてジェネレーションモード用の濃度変換補正値ｃ１を用いらせる。その後、再度、その変更されたジェネレーションモード用の読み取り基準値ａ１、ｂ１を用いて、シェーディング補正値変更処理がシェーディング補正部７０２により行われる（ステップＳ５０８）。具体的には、図１４に示す処理を行うが、読み取り基準値Ａ、Ｂの値が通常コピーモード用の読み取り基準値ａ０、ｂ０の代わりに、ジェネレーションモード用の読み取り基準値ａ１、ｂ１を用いる以外は同じであるので説明を省略する。
【００５５】
次に、プリンタ制御部４００は、各種内部の環境センサ入力を受け付け、さらに上記受け付けた各種センサ入力及びプロセスコントロール動作により、作像時の条件を適切に変更した後、コピー処理に移る（ステップＳ５０９）。
ここでステップＳ５０１にて、基準パターンを作成する旨の指示が受けられている場合は（ステップＳ５１０）、基準パターン判別部７０１は、内部に有する基準パターンのデータを色補正部３０６に出力することにより、コピー時において図１３に示す基準パターンを作成する（ステップＳ５１１）。
【００５６】
コピー処理において、先に求められたオフセット調整値及びゲイン調整値が用いられてシェーディング補正される。その際、先に求められたオフセット調整値及びゲイン調整値が、ジェネレーションモード用の読み取り基準値ａ１、ｂ１を用いて求められたものであれば、出力されるデータにおいて、低濃度部と高濃度部が飛ばされたデータとなる。また、ジェネレーションモード用の濃度変換補正値が用いられて、濃度変換が行われる。濃度変換後に得られる濃度データは、色補正処理、ＭＴＦ補正処理等を経た後、印刷データとしてプリンタ部に送られ画像のプリントが行われる（ステップＳ５１２）。コピー枚数の指定が複数である場合は、コピー処理を繰り返した後、終了する（ステップＳ５１３）。
【００５７】
以上のように本実施の形態によれば、操作者からジェネレーションモードか否かの指示を受けることなく、原稿に基準パターンがあればジェネレーション用の基準値を用いてシェーディング補正を行うことができる。また、原稿に付された基準パターンはＹ単色で作成されているので、人に対して目立たなく、原稿のイメージを損なわない。
【００５８】
なお、本実施の形態では、基準パターン判別部７０１で判別されたマシンコードに基づいて、原稿の出力元を示すそのマシンコードを表示部に表示させるのみであるが、さらに、その読み取られたマシンコードに対応した読み取り基準値を予め複数記憶しており、そのマシンコードに対応する読み取り基準値をシェーディング補正部７０２に設定する構成を備えていてもよい。
（４）  実施の形態４
上述の実施の形態３におけるディジタルフルカラー複写機においては、原稿に予め作成されている特定の基準パターンがあるか否かを判断することによりジェネレーションモードにするか否かを判断し、ジェネレーションモードのときはジェネレーションモード用の補正値を用いてシェーディング補正を行っている。
【００５９】
それに対して、本実施の形態では、原稿に基準パターンがあるか否かを判断することによりジェネレーションモードにするか否かを判断する点で、実施の形態３と同じであるが、本実施の形態でのシェーディング補正は、基準パターンの濃度を検出し、その検出値を用いて、ジェネレーション用の補正値を決定する点が異なっている。
【００６０】
従って、本実施の形態における複写機全体の構成は、実施の形態３とほぼ同じであり、異なる構成要素である画像信号処理部について説明する。
（４−１）画像信号処理部
図１６は、本実施の形態の画像信号処理部８００のブロック図である。本図において、図４、図１６と同じ符号を付したものは、同じ構成要素であるのでこれらについての詳細な説明を省略する。
【００６１】
基準値決定部８０１は、プレスキャン時に、原稿の読み取りデータを受け取り、原稿の所定位置に基準パターンが存在するか否かを判断する。原稿に基準パターンが存在すれば、その基準パターンの濃度を検出し、その検出値を用いて、シェーディング補正部７０２が用いる読み取り基準値を決定する。ここで、本実施の形態で用いる基準パターンは、例えば、４色（Ｃ、Ｍ、Ｙ、ＢＫ）のベタのパターンであり、原稿の画像エリア外の所定位置に形成されている。基準値決定部８０１の行う読み取り基準値の決定は、例えば、以下のように行う。基準値の各色の濃度の検出値を平均し、その値を、シェーディング補正部７０２が用いる黒側読み取り基準値Ｒａと決定する。また、基準パターンの下地、つまり用紙の白紙部分の検出値を、シェーディング補正部７０２が用いる白側読み取り基準値Ｒｂと決定する。
【００６２】
さらに、濃度変換部３０４が用いる濃度変換補正値Ｃは、基準値決定部８０１により、例えば、以下のようにして決定される。当該基準値決定部８０１は、内部に図１７に示すようなテーブルを有している。当該テーブルは、複数の黒側読み取り基準値Ｒａと白側読み取り基準値Ｒｂとの組み１７１と、その組みに一対一に対応する複数の濃度変換補正値１７２を格納している。基準値決定部８０１は、前記決定された黒側読み取り基準値Ｒａと、白側読み取り基準値Ｒｂと、前記テーブルとを用いて、濃度変換補正値Ｃを決定する。
【００６３】
基準値変更部８０２は、シェーディング補正部７０２が用いる黒側読み取り基準値、白側読み取り基準値を、基準値決定部８０１で決定された黒側読み取り基準値Ｒａ、白側読み取り基準値Ｒｂに変更し、同様に、濃度変換部３０４が用いる濃度変換補正値を、基準値決定部８０１で決定された濃度変換補正値Ｃに変更する。また、基準値決定部８０１が原稿に特定の基準パターンが存在しないと判断した場合は、黒側読み取り基準値、白側読み取り基準値を通常コピー用の読み取り基準値ａ０、ｂ０に変更し、濃度変換補正値Ｃも、通常コピー用の読み取り基準値ｃ０に変更する。
【００６４】
（４−２）ディジタルフルカラー複写機の動作
当該実施の形態のおけるディジタルフルカラー複写機の動作について、図１８及び図１９に示すフローチャートを用いて説明する。
先ず、実施の形態３の図１３のフローと同様に、キー入力処理、及び各種基準値ａ０、ｂ０、ｃ０の設定を行い（ステップＳ８０１〜ステップＳ８０３）、次にシェーディング補正値変更処理を行う（ステップＳ８０４）。当該、シェーディング補正値変更処理は、実施の形態３の図１４に示すフローと同様であるので、説明を省略する。
【００６５】
次に、プレスキャン処理を行う（ステップＳ８０５）。当該プレスキャン処理は具体的には、図１９に示す処理であるが、前半部分は、実施の形態３の図１５のフローと同様に、基準パターンを検出、ジェネレーションモードフラグのセットをセット等の処理を行う（ステップＳ９０１〜ステップＳ９０４）。ジェネレーションモードフラグがＯＮされたら、基準値決定部８０１は、基準パターンの濃度を検出し（ステップＳ９０５）、検出結果から基準値Ｒａ、Ｒｂ、Ｃを決定する。基準値変更部８０２は、既にシェーディング補正部７０２や濃度変換部３０４に設定された基準値を、その決定された基準値に変更する（ステップＳ９０６）。その後、イメージリーダ制御部１００は、原稿のサイズ等を検出して、スキャナーをリターンする（ステップＳ９０７、ステップＳ９０８）。これで、プレスキャン処理は終了である。
【００６６】
以下、図１８において、ステップＳ８０７以降の処理は、図１３のステップＳ５０６以降の処理と同じであるので、説明を省略する。
以上のように本実施の形態によれば、原稿に基準パターンがあれば現在ジェネレーションモードと判断することができ、かつ、ジェネレーションモード時に用いる読み取り基準値を、原稿に付された基準パターンの濃度値を検出することに行うことができるので、それぞれの原稿にあった読み取り基準値が用いられる。
【００６７】
なお、実施の形態４における基準値決定部８０１は、テーブルを用いて濃度変換補正値Ｃを決定したが、これには限られず、以下の式を用いて濃度変換補正値Ｃを算出しても良い。
Ｃ＝（Ｒａ−Ｒｂ）／Ｒ０
但し、Ｒ０は、予め決められた基準係数である。
【００６８】
また、本実施の形態では、高濃度側読み取り基準値及び低濃度側読み取り基準値を変更したが、これには限られず、どちらか一方のみ変更することとしてもよい。
また、本実施の形態での基準パターンの検出は、プレスキャン時ではなく、コピー動作開始時に行っても良い。この場合、原稿に付された基準パターンが原稿台の予め決められた位置なるように原稿を位置決めする必要があるが、プレスキャンを行わなくても良くなるので、ファーストコピーを早くすることができるという利点がある。
【００６９】
また、実施の形態２、３、４では、シェーディング補正を、ディジタル的にデータが加工される前のＣＣＤセンサ１４の出力値を補正することにより行っているが、実施の形態１と同様に、ディジタル的に加工されたデータを用いてシェーディング補正を行っても良い。
また、実施の形態１は、シェーディング補正を、ディジタル的に加工されたデータを用いて行っているが、これには、限られず、以下のように、Ａ／Ｄ変換前又はＡ／Ｄ変換時の出力を調整することによりおこなっても良い。
【００７０】
このＡ／Ｄ変換前の出力の調整は、例えば、Ａ／Ｄ変換部に入力されるＣＣＤセンサからのアナログ電圧を調整することにより行う。具体的には、実施の形態２、３、４と同じように、シェーディング補正部は、シェーディング補正部からの出力が、変更された読み取り基準値と等しい値となるように、入力されるアナログ電圧のオフセット調整値、ゲイン調整値を変更することにより行う。
【００７１】
一方、Ａ／Ｄ変換時の出力の調整は、Ａ／Ｄ変換部に入力されるアナログ電圧に対して、Ａ／Ｄ変換部から出力されるデータ値を変更することにより行う。具体的には、Ａ／Ｄ変換部からの出力が、変更された読み取り基準値と等しい値となるように、出力されるデータ値を変更する。
図２０は、Ａ／Ｄ変換部からの出力値が、オフセット調整、ゲイン調整されて、高濃度部と低濃度部とが飛ばされた値となっていることを示している。ここで、ＲＢ、ＲＷは、それぞれ黒基準板、白基準板の反射率データであり、ａ０、ｂ０は、それぞれ、通常コピー時（Ｎｏｒｍａｌ  ｍｏｄｅ）の黒側読み取り基準値、白側読み取り基準値である。同様にａ１、ｂ１は、ジェネレーションモード時（Ｇ  ｍｏｄｅ）の黒側読み取り基準値、白側読み取り基準値である。
【００７２】
本図によれば、通常コピー時は、入力されたＲＢ、ＲＷの反射率データが、ａ０、ｂ０として出力されるように、出力がオフセット調整、ゲイン調整されており、同様に、ジェネレーションコピー時には、ＲＢ、ＲＷの反射率データが、ａ１、ｂ１として出力されるように、出力がオフセット調整、ゲイン調整されていることがわかる。
【００７３】
【発明の効果】
以上のように発明は、原稿が特定の原稿であると判別された場合は、特定原稿用読み取り基準値を用いて、読み取りデータの低濃度部及び高濃度部を飛ばし、その後、例えば８ビットデータに規格化するので、従来技術のように規格化された後のデータの低濃度部、高濃度部を飛ばすことによる実質階調再現段数の減少を招くことなく、特定原稿の低濃度、高濃度部、又はその両方を飛ばす補正を行ってコピーをすることができる。また、この補正を、読み取り基準値を変更するだけで行うことができるので、容易に実現できる。
【００７４】
また、原稿判別手段は、プレスキャン時、或はスキャン開始時に、基準パターンが原稿に付されていることを判別するパターン検出部を備え、基準パターンが付されていると検出されたことにより原稿が特定原稿であることを判別するので、迅速かつ容易に特定原稿の低濃度、高濃度部、又はその両方を飛ばす補正を行ってコピーをすることができる。
【００７５】
また、原稿判別手段は、操作者から原稿が特定原稿であるか否かの指示を受け付ける受付部であり、当該受付部に原稿が特定原稿である旨の指示が受け付けられることにより、読み取り基準値を特定原稿用読み取り基準値に変更するので、操作者が意図する原稿に対して、低濃度、高濃度部、又はその両方を飛ばす補正を行ってコピーをすることができる。
【００７６】
また、読み取り基準値変更手段は、ベタの基準パターンの読み取り値に応じて読み取り基準値を決定し、その決定された読み取り基準値を用いらせて規格化させるので、それぞれの原稿にあった読み取り基準値を用いた、低濃度部、高濃度部、又はその両方を飛ばす補正を行ってコピーをすることができる。
また、原稿判別手段が判別するパターンは、画像エリアの一部或は全面に、観者に目立たない色で書き込まれたパターンであるので、パターンが付されても原稿のイメージを損なうことなく、原稿が特定原稿であることが判別できる。
【図面の簡単な説明】
【図１】実施の形態１におけるディジタルフルカラー複写機全体の構成図である。
【図２】上記ディジタルフルカラー複写機における制御系の一部のブロック図である。
【図３】上記制御系の他の部分のブロック図である。
【図４】上記制御系における画像信号処理部のブロック図である。
【図５】上記ディジタルフルカラー複写機における操作パネルの外観図である。
【図６】上記ディジタルフルカラー複写機における動作を示すフローチャートである。
【図７】図６のフローチャートにおけるシェーディング補正係数算出処理を示すフローチャートである。
【図８】実施の形態２のディジタルフルカラー複写機におけるジェネレーションモード用の白基準板と黒基準板を有するプラテンの外観図である。
【図９】上記ディジタルフルカラー複写機における動作を示すフローチャートである。
【図１０】図９のフローチャートにおけるシェーディング補正値変更処理を示すフローチャートである。
【図１１】実施の形態３のディジタルフルカラー複写機における画像信号処理部のブロック図である。
【図１２】上記ディジタルフルカラー複写機で用いる基準パターンを示す図である。
【図１３】上記ディジタルフルカラー複写機における動作を示すフローチャートである。
【図１４】図１３のフローチャートにおけるシェーディング補正値変更処理を示すフローチャートである。
【図１５】図１４のフローチャートにおけるプレスキャン処理を示すフローチャートである。
【図１６】実施の形態４のディジタルフルカラー複写機における画像信号処理部のブロック図である。
【図１７】上記画像信号処理部の基準値決定部が用いるテーブルを示す図である。
【図１８】上記ディジタルフルカラー複写機における動作を示すフローチャートである。
【図１９】図１８のフローチャートにおけるプレスキャン処理を示すフローチャートである。
【図２０】Ａ／Ｄ変換部からの出力値が、オフセット調整、ゲイン調整されて、高濃度部と低濃度部とが飛ばされた値となっていることを示す図である。
【符号の説明】
１０    イメージリーダ部
１１    スキャナ
１２    露光ランプ
１４    ＣＣＤセンサ
１６    プラテン
１７    基準板
１８    操作パネル
２０    プリンタ部
２１    感光体ドラム
２２    プリントヘッド部
４１    制御部
８１    プラテン
８２    基準板
１００    イメージリーダ制御部
２００    画像制御部
３００    画像信号処理部
３０１    Ａ／Ｄ変換部
３０２    シェーディング補正部
３０３    基準値変更部
３０４    濃度変換部
３０５    領域判別部
３０６    色補正部
３０７    ＭＴＦ補正部
３０８    移動部
３０９    カラーバランス部
４００    プリンタ制御部
５００    プリントヘッド制御部
７００    画像信号処理部
７０１    基準パターン判別部
７０２    シェーディング補正部
７０３    基準値変更部
８００    画像信号処理部
８０１    基準値決定部
８０２    基準値変更部
【図１】
0003551626.tif 000008
【図２】
0003551626.tif 000009
【図３】
0003551626.tif 000010
【図４】
0003551626.tif 000011
【図５】
0003551626.tif 000012
【図６】
0003551626.tif 000013
【図７】
0003551626.tif 000014
【図８】
0003551626.tif 000015
【図９】
0003551626.tif 000016
【図１０】
0003551626.tif 000017
【図１１】
0003551626.tif 000018
【図１２】
0003551626.tif 000019
【図１３】
0003551626.tif 000020
【図１４】
0003551626.tif 000021
【図１５】
0003551626.tif 000022
【図１６】
0003551626.tif 000023
【図１７】
0003551626.tif 000024
【図１８】
0003551626.tif 000025
【図１９】
0003551626.tif 000026
【図２０】
0003551626.tif 000027